(57)【特許請求の範囲】
【請求項１】
通信リソースの使用状況に基づいて、前記通信リソースを使用しているユーザの中から推奨行動を依頼する通知対象ユーザを選定するユーザ選定部と、
前記通知対象ユーザに対して前記推奨行動の依頼を通知する依頼通知送信部と、
前記通信リソースの使用状況を検知するとともに、前記依頼通知送信部が前記推奨行動の依頼を通知した前後の前記通信リソースの使用状況に基づいて、前記推奨行動の依頼を受諾した前記ユーザの割合を算出する通信使用状況検知部と、
を含み、
前記ユーザ選定部は、
前記ユーザが前記推奨行動を承諾する確率である前記ユーザの反応率の履歴を前記推奨行動の依頼の内容ごとに収集、および管理する反応率履歴管理部と、
前記ユーザの反応率の履歴に基づいて前記ユーザの現在の反応率を推定する反応率推定部と、
前記通信リソースの使用状況と前記ユーザの現在の反応率に基づいて前記通知対象ユーザを選定する通知範囲決定部と、を含む、
推奨行動通知装置。
【請求項２】
前記通知範囲決定部は、前記通信リソースの使用状況に応じて制御目標ユーザ数を算出し、前記制御目標ユーザ数と前記ユーザの現在の反応率に基づいて通知対象ユーザ数を算出するとともに、前記通知対象ユーザ数にしたがって前記通知対象ユーザを選定する、請求項１に記載の推奨行動通知装置。
【請求項３】
前記通知対象ユーザが前記推奨行動の依頼を受諾する場合、および受諾しない場合のそれぞれの全体の通信トラヒックのパターン、および前記推奨行動の依頼に応じて前記通知対象ユーザが受けた効用推定値を推定する効用推定部をさらに備える、請求項１又は２に記載の推奨行動通知装置。
【請求項４】
ユーザが推奨行動を承諾する確率である前記ユーザの反応率の履歴を前記推奨行動の依頼の内容ごとに管理し、
通信リソースの使用状況を検知すると共に、前記ユーザの反応率の履歴に基づいて前記ユーザの現在の反応率を推定し、
通信リソースの使用状況と前記ユーザの現在の反応率に基づいて、前記通信リソースを使用しているユーザの中から推奨行動を依頼する通知対象ユーザを選定し、
前記通知対象ユーザに対して前記推奨行動の依頼を通知する、
加えて、前記ユーザが推奨行動を承諾する確率である前記ユーザの反応率の履歴を前記推奨行動の依頼の内容ごとに収集する、
推奨行動通知方法。
【請求項５】
前記推奨行動の依頼を通知した前後の前記通信リソースの使用状況に基づいて、前記推奨行動の依頼を受諾した前記ユーザの割合を算出する、請求項４に記載の推奨行動通知方法。
【請求項６】
推奨行動通知装置と、通信網を介して前記推奨行動通知装置と接続された複数のユーザ端末と、を含み、
前記推奨行動通知装置は、
通信リソースの使用状況に基づいて、前記通信リソースを使用しているユーザの中から推奨行動を依頼する通知対象ユーザを選定するユーザ選定部と、
前記通知対象ユーザに対して前記推奨行動の依頼を通知する依頼通知送信部と、
前記通信リソースの使用状況を検知するとともに、前記依頼通知送信部が前記推奨行動の依頼を通知した前後の前記通信リソースの使用状況に基づいて、前記推奨行動の依頼を受諾した前記ユーザの割合を算出する通信使用状況検知部と、
を含み、
前記ユーザ選定部は、
前記ユーザが前記推奨行動を承諾する確率である前記ユーザの反応率の履歴を前記推奨行動の依頼の内容ごとに収集、および管理する反応率履歴管理部と、
前記ユーザの反応率の履歴に基づいて前記ユーザの現在の反応率を推定する反応率推定部と、
前記通信リソースの使用状況と前記ユーザの現在の反応率に基づいて前記通知対象ユーザを選定する通知範囲決定部と、
を含み、
また、前記複数のユーザ端末の各々は、
前記推奨行動の依頼を受信する依頼通知受信部と、
受信した前記推奨行動の依頼の内容を表示する依頼通知表示部と、
を含む、
推奨行動通知システム。
【請求項７】
コンピュータを、
通信リソースの使用状況に基づいて、前記通信リソースを使用しているユーザの中から推奨行動を依頼する通知対象ユーザを選定するユーザ選定手段と、
前記通知対象ユーザに対して前記推奨行動の依頼を通知する依頼通知送信手段と、
前記通信リソースの使用状況を検知するとともに、前記依頼通知送信手段が前記推奨行動の依頼を通知した前後の前記通信リソースの使用状況に基づいて、前記推奨行動の依頼を受諾した前記ユーザの割合を算出する通信使用状況検知手段と、
して機能させ、
前記ユーザ選定手段を、
前記ユーザが前記推奨行動を承諾する確率である前記ユーザの反応率の履歴を前記推奨行動の依頼の内容ごとに収集、および管理する反応率履歴管理手段と、
前記ユーザの反応率の履歴に基づいて前記ユーザの現在の反応率を推定する反応率推定手段と、
前記通信リソースの使用状況と前記ユーザの現在の反応率に基づいて前記通知対象ユーザを選定する通知範囲決定手段と、
して機能させる、
推奨行動通知プログラム。
【発明の詳細な説明】
【技術分野】
【０００１】
本発明は、推奨行動通知装置、推奨行動通知方法、推奨行動通知システム、および推奨行動通知プログラムに関する。
【背景技術】
【０００２】
通信網を介してユーザ端末が接続された移動通信システムにおいては、ユーザ端末の位置が絶えず変化するため、ユーザ端末の位置や使用状況等によっては通信要求が局所的に集中する場合がある。このような場合、移動通信システムの通信リソースが不足することによって通信品質が低下する可能性や、少なくとも一部のユーザの通信要求を受け付けることができない可能性がある。したがって、通信リソースが不足することのない移動通信システムが求められている。
【０００３】
特許文献１は、通信リソースを効率的に使用するために、通信中のユーザを適切な行動に誘導するユーザ誘導システムを開示している。
【０００４】
特許文献１に記載のユーザ誘導システムは、端末の通信履歴、および基地局のリソースの使用状態等を受信し、これらの情報から基地局における通信トラヒックに関する情報を生成する。また、特許文献１は、端末の通信履歴、基地局のリソースの使用状態、および生成した基地局の通信トラヒックに関する情報に基づいて、ユーザに通知する複数の推奨行動ごとの不満度を算出する。そして、特許文献１は、算出した不満度に基づいてユーザに適した推奨行動を複数の候補の中から抽出する。そのため、特許文献１は、各基地局における通信トラヒックの状態、ユーザにおける通信状態を加味して、ユーザに適した推奨行動を抽出することができる。その結果、特許文献１は、ユーザの不満度をなるべく低下させずに通信リソースを効率的に使用することができる。
【先行技術文献】
【特許文献】
【０００５】
【特許文献１】特許第４４５６０２１号公報
【発明の概要】
【発明が解決しようとする課題】
【０００６】
しかしながら、特許文献１には、ユーザの利便性が低下する問題がある。利便性が低下するとは、頻繁に推奨行動の依頼が通知されることによってユーザが煩わしいと感じることを意味する。または、個人の状況や通信履歴に応じて選択された推奨行動の依頼が通知されることで、ユーザが自分の行動をトレースされていると感じるとともに、鬱陶しいと感じることを意味する。
【０００７】
具体的に説明すると、特許文献１は、通知対象の端末を選定することができないので、全ての端末に推奨行動の依頼を通知する。そのため、ユーザは、推奨行動の依頼を頻繁に受けるため煩わしさを感じることになる。また、特許文献１は、ユーザごとの通信状況、および通信履歴等に基づき複数の候補から各ユーザに適した推奨行動を選び出した上で、選び出した推奨行動の依頼を通知する。そのため、ユーザは自分の行動をトレースされていると感じるとともに、鬱陶しいと感じることになる。したがって、特許文献１は、ユーザの利便性が低下する可能性がある。
【０００８】
本発明の目的は、ユーザに推奨行動の依頼を通知して通信トラヒックを制御するシステムにおいて、ユーザの利便性を低下させずに通信リソースの効率的な使用を実現することのできる推奨行動通知装置、推奨行動通知方法、推奨行動通知システム、および推奨行動通知プログラムを提供することにある。
【課題を解決するための手段】
【０００９】
本発明の一態様の推奨行動通知装置は、通信リソースの使用状況に基づいて、前記通信リソースを使用しているユーザの中から推奨行動を依頼する通知対象ユーザを選定するユーザ選定部と、前記通知対象ユーザに対して前記推奨行動の依頼を通知する依頼通知送信部と、前記通信リソースの使用状況を検知するとともに、前記依頼通知送信部が前記推奨行動の依頼を通知した前後の前記通信リソースの使用状況に基づいて、前記推奨行動の依頼を受諾した前記ユーザの割合を算出する通信使用状況検知部と、を含み、前記ユーザ選定部は、前記ユーザが前記推奨行動を承諾する確率である前記ユーザの反応率の履歴を前記推奨行動の依頼の内容ごとに収集、および管理する反応率履歴管理部と、前記ユーザの反応率の履歴に基づいて前記ユーザの現在の反応率を推定する反応率推定部と、前記通信リソースの使用状況と前記ユーザの現在の反応率に基づいて前記通知対象ユーザを選定する通知範囲決定部と、を含む。
【００１０】
本発明の他の態様の推奨行動通知方法は、ユーザが推奨行動を承諾する確率である前記ユーザの反応率の履歴を前記推奨行動の依頼の内容ごとに管理し、通信リソースの使用状況を検知すると共に、前記ユーザの反応率の履歴に基づいて前記ユーザの現在の反応率を推定し、通信リソースの使用状況と前記ユーザの現在の反応率に基づいて、前記通信リソースを使用しているユーザの中から推奨行動を依頼する通知対象ユーザを選定し、前記通知対象ユーザに対して前記推奨行動の依頼を通知する、加えて、前記ユーザが推奨行動を承諾する確率である前記ユーザの反応率の履歴を前記推奨行動の依頼の内容ごとに収集する。
【００１１】
本発明の他の態様の推奨行動通知システムは、推奨行動通知装置と、通信網を介して前記推奨行動通知装置と接続された複数のユーザ端末と、を含み、前記推奨行動通知装置は、通信リソースの使用状況に基づいて、前記通信リソースを使用しているユーザの中から推奨行動を依頼する通知対象ユーザを選定するユーザ選定部と、前記通知対象ユーザに対して前記推奨行動の依頼を通知する依頼通知送信部と、前記通信リソースの使用状況を検知するとともに、前記依頼通知送信部が前記推奨行動の依頼を通知した前後の前記通信リソースの使用状況に基づいて、前記推奨行動の依頼を受諾した前記ユーザの割合を算出する通信使用状況検知部と、を含み、前記ユーザ選定部は、前記ユーザが前記推奨行動を承諾する確率である前記ユーザの反応率の履歴を前記推奨行動の依頼の内容ごとに収集、および管理する反応率履歴管理部と、前記ユーザの反応率の履歴に基づいて前記ユーザの現在の反応率を推定する反応率推定部と、前記通信リソースの使用状況と前記ユーザの現在の反応率に基づいて前記通知対象ユーザを選定する通知範囲決定部と、を含み、また、前記複数のユーザ端末の各々は、前記推奨行動の依頼を受信する依頼通知受信部と、受信した前記推奨行動の依頼の内容を表示する依頼通知表示部と、を含む。
【００１２】
本発明の他の態様の推奨行動通知プログラムは、コンピュータを、通信リソースの使用状況に基づいて、前記通信リソースを使用しているユーザの中から推奨行動を依頼する通知対象ユーザを選定するユーザ選定手段と、前記通知対象ユーザに対して前記推奨行動の依頼を通知する依頼通知送信手段と、前記通信リソースの使用状況を検知するとともに、前記依頼通知送信手段が前記推奨行動の依頼を通知した前後の前記通信リソースの使用状況に基づいて、前記推奨行動の依頼を受諾した前記ユーザの割合を算出する通信使用状況検知手段と、して機能させ、前記ユーザ選定手段を、前記ユーザが前記推奨行動を承諾する確率である前記ユーザの反応率の履歴を前記推奨行動の依頼の内容ごとに収集、および管理する反応率履歴管理手段と、前記ユーザの反応率の履歴に基づいて前記ユーザの現在の反応率を推定する反応率推定手段と、前記通信リソースの使用状況と前記ユーザの現在の反応率に基づいて前記通知対象ユーザを選定する通知範囲決定手段と、して機能させる。
【発明の効果】
【００１３】
本発明によれば、ユーザに推奨行動を依頼して通信トラヒックを制御するシステムにおいて、ユーザの利便性を低下させずに通信リソースの効率的な使用を実現することができる。
【図面の簡単な説明】
【００１４】
【図１】本発明の第１の実施形態に係る推奨行動通知装置の原理を説明するためのブロック図である。
【図２】本発明の第１の実施形態に係る推奨行動通知装置の構成を示すブロック図である。
【図３】本発明の第１の実施形態に係る推奨行動通知システムの構成を示すブロック図である。
【図４】本発明の第１の実施形態に係る推奨行動通知システムの動作を示すフローチャートである。
【図５】本発明の第２の実施形態に係る推奨行動通知装置の構成を示すブロック図である。
【図６】本発明の第２の実施形態に係る推奨行動通知システムの構成を示すブロック図である。
【図７】本発明の第２の実施形態に係る推奨行動通知システムの動作を示すフローチャートである。
【発明を実施するための形態】
【００１５】
以下、図面を参照しながら、本発明の実施形態について詳細に説明する。なお、繰り返し説明することによる煩雑さを避けるため、各図において同一、または相当する部分には同一の符号を付して適宜説明は省略する。
【００１６】
［１．本発明の原理］
本発明の第１の実施形態を説明する前に、第１の実施形態の原理について説明する。図１は、本発明の第１の実施形態の原理を説明するためのブロック図である。
【００１７】
図１に示すように、推奨行動通知装置１は、依頼通知送信部２０１と、ユーザ選定部２１０と、を含む。
【００１８】
ユーザ選定部２１０は、通信リソースの使用状況に基づいて、通信リソースを使用しているユーザの中から推奨行動を依頼する通知対象ユーザを選定する。依頼通知送信部２０１は、ユーザ選定部２１０が選定した通知対象ユーザに対して推奨行動の依頼を通知する。したがって、推奨行動通知装置１は、通信リソースの使用状況に基づいて選定した通知対象ユーザにのみに推奨行動の依頼を通知することができる。
【００１９】
［２．第１の実施形態］
［２−１．推奨行動通知装置２００の構成］
図２は、本発明の第１の実施形態に係る推奨行動通知装置２００の構成を示すブロック図である。
【００２０】
推奨行動通知装置２００は、依頼通知送信部２０１と、通信使用状況検知部２０２と、ユーザ選定部２１０と、を含む。具体的には後述するが、推奨行動通知装置２００は、通信網を介して各ユーザが持つユーザ端末と通信可能に接続することができる。
【００２１】
依頼通知送信部２０１は、ユーザに対して推奨行動の依頼を通知する。推奨行動の内容は、特に限定しないが、例えば、ユーザを一定時間通信しないように待機させる依頼である。この場合、依頼通知送信部２０１は、例えば、１分間待機させ、その間に通信させない依頼をユーザに通知することができる。
【００２２】
また、推奨行動の依頼は、例えば、ユーザに対して移動先を指定するとともに、指定した移動先に移動するまでの間に通信させない依頼であってもよい。この場合、移動先の指定は、例えば、ユーザの現在地から移動先までの移動方向と距離（例えば、３０メートル等）を指定してもよいし、地図上に移動先を示してもよい。または、移動先を地名、駅名、または施設名等で指定してもよい。
【００２３】
さらに、推奨行動の依頼は、例えば、通信形式を変更させる依頼であってもよい。通信形式を変更させる依頼とは、例えば、通話アプリケーションからメールアプリケーションに通信形式を変更させるような依頼である。
【００２４】
なお、複数の推奨行動が存在する場合には、依頼通知送信部２０１は、例えば、予め設定した所定の通信トラヒックの制御目標を達成できるように推奨行動に優先順位を付けて、優先順位の最も高い推奨行動の依頼を通知してもよい。また、依頼通知送信部２０１は、複数の推奨行動の中から選択して通知してもよい。具体的には、依頼通知送信部２０１は、後述する通信使用状況検知部２０２が検知した現在の通信トラヒックの状況と、予め定めた通信トラヒックの制御目標に基づいて推奨行動に優先順位を付けることができる。この場合、依頼通知送信部２０１は、依頼する推奨行動の数は１つに限定されず、複数の推奨行動の依頼を通知してもよい。また、依頼通知送信部２０１は、推奨行動通知装置２００の使用者等が事前に設定した推奨行動の依頼を送信してもよい。さらに、依頼通知送信部２０１は、通信トラヒックの状況に応じて奨行動通知装置２００の使用者等が設定した推奨行動の依頼を通知してもよい。
【００２５】
通信使用状況検知部２０２は、通信網の通信リソースの使用状況、例えば通信網内に存在し、かつユーザ端末が接続する無線基地局の無線リソースの使用率等を検知する。具体的には、通信使用状況検知部２０２は、通信リソースの使用状況を、通信網内の無線基地局が備える装置等から検知してもよいし、通信網を通過する通信トラヒックを監視することで検知してもよい。また、通信使用状況検知部２０２は、通信リソースの使用状況を、ユーザ端末等から通信品質に関する情報を収集することで検知してもよい。さらに、通信使用状況検知部２０２は、依頼通知送信部２０１が推奨行動の依頼を通知した前後の通信リソースの使用状況に基づいて、推奨行動の依頼を受諾したユーザの割合を算出することができる。
【００２６】
ユーザ選定部２１０は、ユーザ端末を使用しているユーザの中から推奨行動を通知するユーザ（以下、通知対象ユーザ）を選定する。また、ユーザ選定部２１０は、反能率履歴管理部２１１と、反能率推定部２１２と、通知範囲決定部２１３とを含む。
【００２７】
反能率履歴管理部２１１は、ユーザの反能率の履歴を収集し、かつ収集したユーザの反応率の履歴を管理する。ユーザの反応率とは、推奨行動の依頼を受けたユーザが、受けた依頼を実行する確率のことを意味する。また、反応率履歴管理部２１１は、推奨行動の内容ごとにユーザの反応率の履歴を収集し、かつ収集したユーザの反応率の履歴を管理してもよい。
【００２８】
反能率推定部２１２は、ユーザの反応率の履歴に基づいて、現在のユーザの反能率を推定する。また、反応率推定部２１２は、反応率履歴管理部２１１が推奨行動の内容ごとにユーザの反応率の履歴を収集し、かつ収集したユーザの反応率の履歴を管理している場合、推奨行動の内容ごとに現在のユーザの反応率を推定することができる。
【００２９】
通知範囲決定部２１３は、推奨行動の依頼を通知する対象のユーザ数（以下、通知対象ユーザ数）を決定する。具体的には、通知範囲決定部２１３は、所定の通信トラヒックを実現するために推奨行動の依頼を受諾させる必要のあるユーザ数（以下、制御目標ユーザ数）を、通信リソースの使用状況に基づいて算出する。そして、通知範囲決定部２１３は、算出した制御目標ユーザ数と、反応率推定部２１２が推定したユーザの反応率に基づいて通知対象ユーザ数を算出する。なお、所定の通信トラヒックとは、各ユーザが良好な通信品質で通信することのできる通信トラヒックであり、推奨行動通知装置２００の使用者等が設定することができる。
【００３０】
さらに、通知範囲決定部２１３は、算出した通知対象ユーザ数にしたがって、ユーザ端末を使用しているユーザの中から通知対象ユーザを選定する。具体的には、通知範囲決定部２１３は、例えば、通知対象ユーザを、通知対象ユーザ数を満たすように、ユーザ端末を使用している全ユーザの中からランダムに選定してもよいし、過去に推奨行動の依頼を通知した回数が少ない順に選定してもよい。
【００３１】
すなわち、推奨行動通知装置２００は、通信トラヒックを制御する上で必要最小限のユーザに推奨行動を依頼し、ユーザに対する推奨行動の依頼の通知頻度を最小限に抑えることができる。また、推奨行動通知装置２００は、上述した各部のそれぞれが相互に個々のユーザの通信特性を用いることがないので、個々のユーザに自分の行動をトレースされていると感じさせることがなく、鬱陶しいと感じさせることもない。そのため、推奨行動通知装置２００は、ユーザの利便性を低下させずに通信リソースの効率的な使用を実現することができる。
【００３２】
［２−２．推奨行動通知システム４００の構成］
図３は、本発明の第１の実施形態に係る推奨行動通知システム４００の構成を示すブロック図である。
【００３３】
図３に示すように、推奨行動通知システム４００は、通信網１００と、推奨行動通知装置２００と、ユーザ端末３００とを含んでいる。推奨行動通知システム４００において、推奨行動通知装置２００と、ユーザ端末３００は、通信網１００を介して互いに通信可能に接続されている。なお、通信網１００は、例えば、インターネット網である。
【００３４】
ユーザ端末３００は、依頼通知受信部３０１と、依頼通知表示部３０２を含んでいる。
【００３５】
依頼通知受信部３０１は、推奨行動通知装置２００の依頼通知送信部２０１が送信した推奨行動の依頼を受信する。
【００３６】
依頼通知表示部３０２は、依頼通知受信部３０１が受けた推奨行動の依頼を表示する。このような依頼通知表示部３０２は、例えば、液晶ディスプレイ、および有機ＥＬ（Electro Luminescence）ディスプレイ等から構成することができる。
【００３７】
上述のユーザ端末３００は、例えば、スマートフォン、およびタブレット端末等の携帯型の情報処理端末で構成することができる。なお、図３に示す推奨行動通知システム４００において、推奨行動通知装置２００は、１台のユーザ端末３００と接続されているが、これは例示であり、本発明を限定するものではない。推奨行動通知装置２００は、複数のユーザ端末３００と接続することが可能である。
【００３８】
［２−３．推奨行動通知システム４００の動作］
図４は、推奨行動通知システム４００の動作の流れを示すフローチャートである。以下、図４のフローチャートを参照して推奨行動通知システム４００の動作の流れについて詳細に説明する。
【００３９】
まず、ステップＳ１０１において、通信使用状況検知部２０２は、通信リソースの使用状況を検知する。
【００４０】
次に、ステップＳ１０２において、反能率推定部２１２は、反能率履歴管理部２１１が保持する反能率の履歴に基づいて、ユーザの反能率を推定する。
【００４１】
次に、ステップＳ１０３において、通知範囲決定部２１３は、現在の通信リソースの使用状況に基づいて、通信トラヒックを所定の状態に制御するために必要な制御目標ユーザ数を決定する。
【００４２】
続いて、ステップＳ１０４において、通知範囲決定部２１３は、ユーザの反能率の推定値と、制御目標ユーザ数とに基づいて通知対象ユーザ数を決定する。
【００４３】
さらに、ステップＳ１０５において、通知範囲決定部２１３は、通知対象ユーザ数にしたがって通知対象ユーザを決定する。
【００４４】
次に、ステップＳ１０６において、依頼通知送信部２０１は、ステップＳ１０５で選択された通知対象ユーザのユーザ端末３００に対して推奨行動の依頼を通知する。
【００４５】
次に、ステップＳ１０７において、反能率履歴管理部２１１は、ステップＳ１０６で推奨行動の依頼を受諾したユーザの割合を、ユーザの実際の反能率として反能率の履歴に追加する。ここで、推奨行動の依頼を受諾したユーザの割合は、推奨行動の依頼を通知した前後の通信リソースの使用状況に基づいて、通信使用状況検知部２０２が算出する。推奨行動の依頼を受諾したユーザの割合は、依頼通知受信部３０１が、反能率履歴管理部２１１に推奨行動の依頼を受託したか否かを通知し、反能率履歴管理部２１１がそれを集計した上で、反能率の履歴に追加してもよい。
【００４６】
第１の実施形態によれば、ユーザに推奨行動を依頼して通信トラヒックを制御する推奨行動通知システム４００は、推奨行動に対するユーザの反能率に応じて、必要最小限のユーザに推奨通信行動を通知するように構成されている。そのため、推奨行動通知システム４００は、各ユーザに対する推奨行動の依頼通知の頻度を抑制することで、ユーザの利便性の低下を防止することができる。
【００４７】
［３．第１の実施形態の変形例］ 
［３−１．推奨行動通知装置２００’の構成］
次に、本発明の第１の実施形態の変形例に係る推奨行動通知装置２００’について説明する。なお、推奨行動通知装置２００’の構成は、図２に示した推奨行動通知装置２００と同様なので、図２を参照しつつ説明する。
【００４８】
推奨行動通知装置２００’において、図２に示す反能率履歴管理部２１１は、地理情報、および時間情報の少なくとも一方と、ユーザの反能率を関連付けた情報を履歴として保持する。地理情報とは、例えば、オフィス街、または住宅街等の場所に関する情報や、無線基地局の識別子等を意味する。時間情報とは、例えば、オフィスアワー、またはオフィスアワー以外等の時間帯に関する情報や、過去の履歴から分かる無線基地局毎の混雑時間帯や閑散時間帯に関する情報等を意味する。
【００４９】
推奨行動通知装置２００’において、図２に示す反能率推定部２１２は、地理情報、および時間情報の少なくとも一方と、ユーザの反能率が関連付いた履歴に基づいてユーザの反能率を推定する。具体的には、反応率推定部２１２は、地理情報として、例えば、オフィス街、または住宅街等や、過去の履歴から分かる無線基地局毎の混雑時間帯や閑散時間帯に関する情報等の場所に関する条件と関連付いたユーザの反応率の履歴に基づいてユーザの現在の反応率を推定する。また、反応率推定部２１２は、時間情報として、例えば、オフィスアワー、またはオフィスアワー以外等や、過去の履歴から分かる無線基地局毎の混雑時間帯や閑散時間帯に関する情報等の時間帯の条件と関連付いたユーザの反応率の履歴に基づいてユーザの現在の反応率を推定する。
【００５０】
推奨行動通知装置２００’は、上述の構成を有しているので、ユーザの現在の反応率を精度よく推定することができる。
【００５１】
［３−２．推奨行動通知システム４００’の構成］
第１の実施形態の変形例の推奨行動通知装置２００’を含む推奨行動通知システム４００’の構成は、図３に示した推奨行動通知システム４００と同様なので図面は省略する。
【００５２】
［３−３．推奨行動通知システム４００’の動作］
推奨行動通知システム４００’の動作の流れは推奨行動通知システム４００と同様なので、図４のフローチャートを参照して推奨行動通知システム４００’の動作の流れについて説明する。
【００５３】
推奨行動通知システム４００’の場合、図４に示すステップＳ１０２において、反能率推定部２１２は、地理情報、および時間情報の少なくとも一方と、ユーザの反能率が関連付いた履歴に基づいてユーザの反能率を推定する。
【００５４】
また、推奨行動通知システム４００’の場合、図４に示すステップＳ１０７において、反応率履歴管理部２１１は、地理情報、および時間情報の少なくとも一方と、ユーザの反能率を関連付けて履歴に追加する。
【００５５】
なお、推奨行動通知システム４００’のその他の動作については、推奨行動通知システム４００と同様なので説明は省略する。
【００５６】
第１の実施形態の変形例によれば、ユーザに推奨行動を依頼して通信トラヒックを制御する推奨行動通知システム４００’は、推奨行動に対するユーザの反能率に応じて、必要最小限のユーザに推奨通信行動を通知するように構成されている。そのため、推奨行動通知システム４００’は、各ユーザに対する推奨行動の依頼通知の頻度を抑制することで、ユーザの利便性の低下を防止することができる。また、推奨行動通知システム４００’は、ユーザの反能率の推定精度を高めることで通信リソースの効率的な使用を促進できる。
【００５７】
［４．第２の実施形態］ 
［４−１．推奨行動通知装置２００Ａの構成］
図５は、本発明の第２の実施形態に係る推奨行動通知装置２００Ａの構成を示すブロック図である。
【００５８】
図５に示すように、推奨行動通知装置２００Ａは、依頼通知部２０１と、通信使用状況検知部２０２と、効用推定部２０３と、ユーザ選定部２１０とを含んでいる。すなわち、推奨行動通知装置２００Ａは、図２の推奨行動通知装置２００に効用推定部２０３を追加した構成となっている。
【００５９】
効用推定部２０３は、ユーザに対して推奨行動の依頼を通知した後に、推奨行動の依頼をユーザが受諾する場合、および受諾しない場合の、それぞれの場合の、全体の通信トラヒックのパターン、および個々のユーザが受ける効用を推定（以下、効用推定値）する。ユーザが受ける効用とは、ユーザが通信サービスから得る便益、または満足度の水準を意味する。具体的には、ユーザが受ける効用は、例えば、ファイルのダウンロードであれば、ファイルサイズをダウンロードに要した時間で除算した値等である。
【００６０】
また、効用推定部２０３は、推奨行動の依頼をユーザが受諾する場合と、受諾しない場合の効用推定値に基づいて効用改善率を算出することができる。効用改善率とは、例えば、推奨行動の依頼をユーザが受諾しない場合の効用推定値を、受諾する場合の効用推定値で除算した値である。
【００６１】
第２の実施形態においては、依頼通知送信部２０１は、ユーザが推奨行動の依頼を受諾する場合の効用推定値、受諾しない場合の効用推定値、および効用改善率を含めて、ユーザに推奨行動の依頼を通知する。
【００６２】
また、第２の実施形態において、反能率履歴管理部２１１は、ユーザに依頼通知で提示した効用改善率と、ユーザの反能率を関連付けた情報を履歴として保持する。
【００６３】
推奨行動通知装置２００Ａは、ユーザが受ける効用を推定することで、ユーザの反応率を精度よく推定することができる。
【００６４】
［４−２．推奨行動通知システム４００Ａの構成］
図６は、本発明の第２の実施形態に係る推奨行動通知システム４００Ａの構成を示すブロック図である。
【００６５】
図６に示すように、推奨行動通知システム４００Ａは、通信網１００と、推奨行動通知装置２００Ａと、ユーザ端末３００とを含んでいる。
【００６６】
［４−３．推奨行動通知システム４００Ａの動作］
図７のフローチャートを参照して推奨行動通知システム４００Ａの動作について詳細に説明する。
【００６７】
まず、ステップＳ２０１において、通信使用状況検知部２０２は、通信リソースの使用状況を検知する。
【００６８】
次に、ステップＳ２０２において、反能率推定部２１２は、反能率履歴管理部２１１が保持する過去の反能率のデータに基づいて、ユーザの現在の反能率を推定する。
【００６９】
次に、ステップＳ２０３において、通知範囲決定部２１３は、通信トラヒックを所定の状態に制御するために必要な制御目標ユーザ数を決定する。
【００７０】
続いて、ステップＳ２０４において通知範囲決定部２１３が、ユーザの反能率の推定値と、制御目標ユーザ数とに基づいて、通知対象ユーザ数を決定する。
【００７１】
さらに、ステップＳ２０５において、通知範囲決定部２１３が、通知対象ユーザ数にしたがって、通知対象ユーザを決定する。
【００７２】
次に、ステップＳ２０６において、効用推定部２０３は、ユーザに対して推奨行動の依頼を通知した後に、ユーザが推奨行動の依頼を受諾する場合、および受諾しない場合の、それぞれの場合について、全体の通信トラヒックのパターンを推定する。
【００７３】
続いて、ステップＳ２０７において、効用推定部２０３は、ユーザに対して推奨行動の依頼を通知した後に、ユーザが推奨行動の依頼を受諾する場合、および受諾しない場合の、それぞれの場合について個々のユーザが受ける効用を全体の通信トラヒックのパターンに基づいて推定する。また、効用推定部２０３は、ユーザが推奨行動の依頼を受諾する場合、および受諾しない場合の、それぞれの効用推定値に基づいて、効用改善率を算出する。
【００７４】
次に、ステップＳ２０８において、依頼通知送信部２０１は、ステップＳ１０５で選択されたユーザのユーザ端末３００に対して、推奨行動の依頼と効用改善率を通知する。このとき、効用改善率と一緒に、ユーザが推奨行動の依頼を受諾する場合、および受諾しない場合の、それぞれの効用推定値も合わせて通知してもよい。
【００７５】
次に、ステップＳ２０９において、反能率履歴管理部２１１は、ユーザに対する依頼通知で提示した効用改善率と、ステップＳ２０８で推奨行動の依頼に対するユーザの反能率を関連付けて履歴に追加する。
【００７６】
第２の実施形態によれば、ユーザに推奨行動を依頼して通信トラヒックを制御する推奨行動通知システム４００Ａは、推奨行動に対するユーザの反能率に応じて、必要最小限のユーザに推奨通信行動を通知するように構成されている。そのため、推奨行動通知システム４００Ａは、ユーザに対する依頼通知の頻度を抑制することで、ユーザの利便性低下を防ぐことができると同時に、ユーザの反能率の推定精度を高めることで通信リソースの効率的な使用を促進できる。
【００７７】
また、推奨行動通知システム４００Ａは、ユーザに対して効用の推定値や、効用改善率を提示したり、推奨行動を受諾することのインセンティブを明示したりすることで、より確実にユーザに推奨行動を促すことができるという効果も奏することができる。
【００７８】
なお、推奨行動推定装置１、推奨行動推定装置２００、推奨行動推定装置２００’、および推奨行動推定装置２００Ａは、ハードウエアによって実現してもよいし、ソフトウエアによって実現してもよい。また、推奨行動推定装置１、推奨行動推定装置２００、推奨行動推定装置２００’、および推奨行動推定装置２００Ａは、ハードウエアとソフトウエアの組み合わせによって実現してもよい。
【００７９】
例えば、ＣＰＵ（Central Processing Unit）が、読み取り可能な記憶媒体が保持するプログラムを読み出すことによって、コンピュータを推奨行動推定装置２００、推奨行動推定装置２００’、および推奨行動推定装置２００Ａとして動作させてもよい。記憶媒体を例示すると、磁気ディスク、光ディスク、光磁気ディスク、および半導体メモリ等である。また、プログラムは、ＣＰＵが読み取り可能な記憶媒体が保持しているだけでなく、ネットワークに接続された記憶装置が保持していてもよい。
【００８０】
上記の各実施形態の一部、または全部は、以下の付記のようにも記載されうる。なお、以下の付記は本発明をなんら限定するものではない。
【００８１】
［付記１］
通信リソースの使用状況に基づいて、前記通信リソースを使用しているユーザの中から推奨行動を依頼する通知対象ユーザを選定するユーザ選定部と、
前記通知対象ユーザに対して前記推奨行動の依頼を通知する依頼通知送信部と、を含む、推奨行動通知装置。
【００８２】
［付記２］
前記通信リソースの使用状況を検知するとともに、前記依頼通知送信部が前記推奨行動の依頼を通知した前後の前記通信リソースの使用状況に基づいて、前記推奨行動の依頼を受諾した前記ユーザの割合を算出する通信使用状況検知部をさらに含む、付記１に記載の推奨行動通知装置。
【００８３】
［付記３］
前記ユーザ選定部は、
前記ユーザが前記推奨行動を承諾する確率である前記ユーザの反応率の履歴を前記推奨行動の依頼の内容ごとに収集、および管理する反応率履歴管理部と、
前記ユーザの反応率の履歴に基づいて前記ユーザの現在の反応率を推定する反応率推定部と、
前記通信リソースの使用状況と前記ユーザの現在の反応率に基づいて前記通知対象ユーザを選定する通知範囲決定部と、を含む、付記1または２に記載の推奨行動通知装置。
【００８４】
［付記４］
前記通知範囲決定部は、前記通信リソースの使用状況に応じて制御目標ユーザ数を算出し、前記制御目標ユーザ数と前記ユーザの現在の反応率に基づいて通知対象ユーザ数を算出するとともに、前記通知対象ユーザ数にしたがって前記通知対象ユーザを選定する、付記３に記載の推奨行動通知装置。
【００８５】
［付記５］
前記通知範囲決定部は、前記通知対象ユーザを前記ユーザの中からランダムに選択するか、または前記ユーザの中から過去に前記推奨行動の依頼を通知した回数が少ない前記ユーザを選択する、付記３または４に記載の推奨行動通知装置。
【００８６】
［付記６］
前記反応率推定部は、地理情報、および時間情報の少なくとも一方に基づいて前記通知対象ユーザの現在の反応率を推定する、付記３〜５のいずれか１つに記載の推奨行動通知装置。
【００８７】
［付記７］
前記依頼通知送信部は、一定時間通信を待機する依頼、指定した場所に移動して通信する依頼、および通信形式を変更する依頼の少なくとも１つを含めて前記通知対象ユーザに前記推奨行動の依頼を通知する、付記３〜６のいずれか１つに記載の推奨行動通知装置。
【００８８】
［付記８］
前記通知対象ユーザが前記推奨行動の依頼を受諾する場合、および受諾しない場合のそれぞれの全体の通信トラヒックのパターン、および前記推奨行動の依頼に応じて前記通知対象ユーザが受けた効用推定値を推定する効用推定部をさらに備える、付記１〜７のいずれか１つに記載の推奨行動通知装置。
【００８９】
［付記９］
前記依頼通知送信部は、前記通知対象ユーザが前記推奨行動の依頼を受諾する場合、および受諾しない場合のそれぞれの前記通知対象ユーザの効用推定値を含めて前記通知対象ユーザに前記推奨行動の依頼を通知する、付記８に記載の推奨行動通知装置。
【００９０】
［付記１０］
前記反応率推定部は、前記通知対象ユーザが前記推奨行動の依頼を受諾する場合、および受諾しない場合の前記効用推定値に基づいて効用改善率を推定するとともに、前記効用改善率に基づいて前記通知対象ユーザの現在の反応率をさらに推定する、付記８または９に記載の推奨行動通知装置。
【００９１】
［付記１１］
前記依頼通知送信部は、前記推奨行動の依頼を受諾する場合の前記通知対象ユーザの前記効用改善率の推定値を含めて前記通知対象ユーザに前記推奨行動の依頼を通知する、付記１０に記載の推奨行動通知装置。
【００９２】
［付記１２］
通信リソースの使用状況に基づいて、前記通信リソースを使用しているユーザの中から推奨行動を依頼する通知対象ユーザを選定し、
前記通知対象ユーザに対して前記推奨行動の依頼を通知する、推奨行動通知方法。
【００９３】
［付記１３］
前記通信リソースの使用状況を検知するとともに、前記依頼通知送信部が前記推奨行動の依頼を通知した前後の前記通信リソースの使用状況に基づいて、前記推奨行動の依頼を受諾した前記ユーザの割合を算出する、付記１２に記載の推奨行動通知方法。
【００９４】
［付記１４］
前記ユーザが前記推奨行動を承諾する確率である前記ユーザの反応率の履歴を前記推奨行動の依頼の内容ごとに収集、および管理し、
前記ユーザの反応率の履歴に基づいて前記ユーザの現在の反応率を推定し、
前記通信リソースの使用状況と前記ユーザの現在の反応率に基づいて前記通知対象ユーザを選定する、付記１２または１３に記載の推奨行動通知方法。
【００９５】
［付記１５］
前記通信リソースの使用状況に応じて制御目標ユーザ数を算出し、前記制御目標ユーザ数と前記ユーザの現在の反応率に基づいて通知対象ユーザ数を算出するとともに、前記通知対象ユーザ数にしたがって前記通知対象ユーザを選定する、付記１４に記載の推奨行動通知方法。
【００９６】
［付記１６］
前記通知対象ユーザを前記ユーザの中からランダムに選択するか、または前記ユーザの中から過去に前記推奨行動の依頼を通知した回数が少ない前記ユーザを選択する、付記１４または１５に記載の推奨行動通知方法。
【００９７】
［付記１７］
地理情報、および時間情報の少なくとも一方に基づいて前記通知対象ユーザの現在の反応率を推定する、付記１４〜１６のいずれか１つに記載の推奨行動通知方法。
【００９８】
［付記１８］
一定時間通信を待機する依頼、指定した場所に移動して通信する依頼、および通信形式を変更する依頼の少なくとも１つを含めて前記通知対象ユーザに前記推奨行動の依頼を通知する、付記１４〜１７のいずれか１つに記載の推奨行動通知方法。
【００９９】
［付記１９］
前記通知対象ユーザが前記推奨行動の依頼を受諾する場合、および受諾しない場合のそれぞれの全体の通信トラヒックのパターン、および前記推奨行動の依頼に応じて前記通知対象ユーザが受けた効用推定値を推定する、付記１２〜１８のいずれか１つに記載の推奨行動通知方法。
【０１００】
［付記２０］
前記通知対象ユーザが前記推奨行動の依頼を受諾する場合、および受諾しない場合のそれぞれの前記通知対象ユーザの効用推定値を含めて前記通知対象ユーザに前記推奨行動の依頼を通知する、付記１９に記載の推奨行動通知方法。
【０１０１】
［付記２１］
前記反応率推定部は、前記通知対象ユーザが前記推奨行動の依頼を受諾する場合、および受諾しない場合の前記効用推定値に基づいて効用改善率を推定するとともに、前記効用改善率に基づいて前記通知対象ユーザの現在の反応率をさらに推定する、付記１９または２０に記載の推奨行動通知方法。
【０１０２】
［付記２２］
前記推奨行動の依頼を受諾する場合の前記通知対象ユーザの前記効用改善率の推定値を含めて前記通知対象ユーザに前記推奨行動の依頼を通知する、付記２１に記載の推奨行動通知方法。
【０１０３】
［付記２３］
推奨行動通知装置と、通信網を介して前記推奨行動通知装置と接続されたユーザ端末と、を含み、
前記推奨行動通知装置は、
通信リソースの使用状況に基づいて、前記通信リソースを使用しているユーザの中から推奨行動を依頼する通知対象ユーザを選定するユーザ選定部と、
前記通知対象ユーザに対して前記推奨行動の依頼を通知する依頼通知送信部と、を含み、
前記ユーザ端末は、
前記推奨行動の依頼を受信する依頼通知受信部と、
受信した前記推奨行動の依頼の内容を表示する依頼通知表示部と、を含む、推奨行動通知システム。
【０１０４】
［付記２４］
前記推奨行動通知装置は、前記通信リソースの使用状況を検知するとともに、前記依頼通知送信部が前記推奨行動の依頼を通知した前後の前記通信リソースの使用状況に基づいて、前記推奨行動の依頼を受諾した前記ユーザの割合を算出する通信使用状況検知部をさらに含む、付記２３に記載の推奨行動通知システム。
【０１０５】
［付記２５］
前記ユーザ選定部は、
前記ユーザが前記推奨行動を承諾する確率である前記ユーザの反応率の履歴を前記推奨行動の依頼の内容ごとに収集、および管理する反応率履歴管理部と、
前記ユーザの反応率の履歴に基づいて前記ユーザの現在の反応率を推定する反応率推定部と、
前記通信リソースの使用状況と前記ユーザの現在の反応率に基づいて前記通知対象ユーザを選定する通知範囲決定部と、を含む、付記２３または２４に記載の推奨行動通知システム。
【０１０６】
［付記２６］
前記通知範囲決定部は、前記通信リソースの使用状況に応じて制御目標ユーザ数を算出し、前記制御目標ユーザ数と前記ユーザの現在の反応率に基づいて通知対象ユーザ数を算出するとともに、前記通知対象ユーザ数にしたがって前記通知対象ユーザを選定する、付記２５に記載の推奨行動通知システム。
【０１０７】
［付記２７］
前記通知範囲決定部は、前記通知対象ユーザを前記ユーザの中からランダムに選択するか、または前記ユーザの中から過去に前記推奨行動の依頼を通知した回数が少ない前記ユーザを選択する、付記２５または２６に記載の推奨行動通知システム。
【０１０８】
［付記２８］
前記反応率推定部は、地理情報、および時間情報の少なくとも一方に基づいて前記通知対象ユーザの現在の反応率を推定する、付記２５〜２７のいずれか１つに記載の推奨行動通知システム。
【０１０９】
［付記２９］
前記依頼通知送信部は、一定時間通信を待機する依頼、指定した場所に移動して通信する依頼、および通信形式を変更する依頼の少なくとも１つを含めて前記通知対象ユーザに前記推奨行動の依頼を通知する、付記２５〜２８のいずれか１つに記載の推奨行動通知システム。
【０１１０】
［付記３０］
前記通知対象ユーザが前記推奨行動の依頼を受諾した場合、および受諾しなかった場合のそれぞれの全体の通信トラヒックのパターン、および前記推奨行動の依頼に応じて前記通知対象ユーザが受けた効用推定値を推定する効用推定部をさらに備える、付記２３〜２９のいずれか１つに記載の推奨行動通知システム。
【０１１１】
［付記３１］
前記依頼通知送信部は、前記通知対象ユーザが前記推奨行動の依頼を受諾する場合、および受諾しない場合のそれぞれの前記通知対象ユーザの効用推定値を含めて前記通知対象ユーザに前記推奨行動の依頼を通知する、付記３０に記載の推奨行動通知システム。
【０１１２】
［付記３２］
前記反応率推定部は、前記通知対象ユーザが前記推奨行動の依頼を受諾する場合、および受諾しない場合の前記効用推定値に基づいて効用改善率を推定するとともに、前記効用改善率に基づいて前記通知対象ユーザの現在の反応率をさらに推定する、付記３０または３１に記載の推奨行動通知システム。
【０１１３】
［付記３３］
前記依頼通知送信部は、前記推奨行動の依頼を受諾する場合の前記通知対象ユーザの前記効用改善率の推定値を含めて前記通知対象ユーザに前記推奨行動の依頼を通知する、付記３２に記載の推奨行動通知システム。
【０１１４】
［付記３４］
コンピュータを、
通信リソースの使用状況に基づいて、前記通信リソースを使用しているユーザの中から推奨行動を依頼する通知対象ユーザを選定するユーザ選定手段と、
前記通知対象ユーザに対して前記推奨行動の依頼を通知する依頼通知送信手段と、して機能させる、推奨行動通知プログラム。
【０１１５】
［付記３５］
前記コンピュータを、
前記通信リソースの使用状況を検知するとともに、前記依頼通知送信部が前記推奨行動の依頼を通知した前後の前記通信リソースの使用状況に基づいて、前記推奨行動の依頼を受諾した前記ユーザの割合を算出する通信使用状況検知手段としてさらに機能させる、付記３４に記載の推奨行動通知プログラム。
【０１１６】
［付記３６］
前記コンピュータを、
前記ユーザが前記推奨行動を承諾する確率である前記ユーザの反応率の履歴を前記推奨行動の依頼の内容ごとに収集、および管理する反応率履歴管理手段と、
前記ユーザの反応率の履歴に基づいて前記ユーザの現在の反応率を推定する反応率推定手段と、
前記通信リソースの使用状況と前記ユーザの現在の反応率に基づいて前記通知対象ユーザを選定する通知範囲決定手段としてさらに機能させる、付記３４また３５に記載の推奨行動通知プログラム。
【０１１７】
［付記３７］
前記コンピュータを、
前記通信リソースの使用状況に応じて制御目標ユーザ数を算出し、前記制御目標ユーザ数と前記ユーザの現在の反応率に基づいて通知対象ユーザ数を算出するとともに、前記通知対象ユーザ数にしたがって前記通知対象ユーザを選定する手段としてさらに機能させる、付記３６に記載の推奨行動通知プログラム。
【０１１８】
［付記３８］
前記コンピュータを、
前記通知対象ユーザを前記ユーザの中からランダムに選択するか、または前記ユーザの中から過去に前記推奨行動の依頼を通知した回数が少ない前記ユーザを選択する手段としてさらに機能させる、付記３６または３７に記載の推奨行動通知プログラム。
【０１１９】
［付記３９］
前記コンピュータを、
地理情報、および時間情報の少なくとも一方に基づいて前記通知対象ユーザの現在の反応率を推定する手段としてさらに機能させる、付記３６〜３８のいずれか１つに記載の推奨行動通知プログラム。
【０１２０】
［付記４０］
前記コンピュータを、
一定時間通信を待機する依頼、指定した場所に移動して通信する依頼、および通信形式を変更する依頼の少なくとも１つを含めて前記通知対象ユーザに前記推奨行動の依頼を通知する手段としてさらに機能させる、付記３６〜３９のいずれか１つに記載の推奨行動通知プログラム。
【０１２１】
［付記４１］
前記コンピュータを、
前記通知対象ユーザが前記推奨行動の依頼を受諾する場合、および受諾しない場合のそれぞれの全体の通信トラヒックのパターン、および前記推奨行動の依頼に応じて前記通知対象ユーザが受けた効用推定値を推定する効用推定手段としてさらに機能させる、付記３４〜４０のいずれか１つに記載の推奨行動通知プログラム。
【０１２２】
［付記４２］
前記コンピュータを、
前記通知対象ユーザが前記推奨行動の依頼を受諾する場合、および受諾しない場合のそれぞれの前記通知対象ユーザの効用推定値を含めて前記通知対象ユーザに前記推奨行動の依頼を通知する手段としてさらに機能させる、付記４１に記載の推奨行動通知プログラム。
【０１２３】
［付記４３］
前記コンピュータを、
前記通知対象ユーザが前記推奨行動の依頼を受諾する場合、および受諾しない場合の前記効用推定値に基づいて効用改善率を推定するとともに、前記効用改善率に基づいて前記通知対象ユーザの現在の反応率をさらに推定する手段としてさらに機能させる、付記４１または４２に記載の推奨行動通知プログラム。
【０１２４】
［付記４４］
前記コンピュータを、
前記推奨行動の依頼を受諾する場合の前記通知対象ユーザの前記効用改善率の推定値を含めて前記通知対象ユーザに前記推奨行動の依頼を通知する手段としてさらに機能させる、付記４３に記載の推奨行動通知プログラム。
【産業上の利用可能性】
【０１２５】
本発明は、ユーザの利便性が低下させることなく、通信時のユーザの行動を誘導することで通信トラヒックを制御する等の用途に適用可能である。移動通信システムにおいて通信要求が局所的に集中した場合に、通信リソースの効率的な使用を促進する等の用途にも適用可能である。
【符号の説明】
【０１２６】
１００・・・通信網
１，２００，２００Ａ・・・推奨行動通知装置
２０１・・・依頼通知送信部
２０２・・・通信使用状況検知部
２１０・・・ユーザ選定部
２１１・・・反応率履歴管理部
２１２・・・反応率推定部
２１３・・・通知範囲決定部
３００・・・ユーザ端末
３０１・・・依頼通知受信部
３０２・・・依頼通知表示部
【図１】
0006683947.tif 000002
【図２】
0006683947.tif 000003
【図３】
0006683947.tif 000004
【図４】
0006683947.tif 000005
【図５】
0006683947.tif 000006
【図６】
0006683947.tif 000007
【図７】
0006683947.tif 000008